(57)【要約】【課題】  特に、政治活動を行う地域の支援者の現在位置を把握して、効率良く街頭演説や街宣車両の街宣を行うことのできる特定事項支援システムを提供するものである。【解決手段】  携帯端末を使用した特定事項支援システムであって、支援管理サーバーは、複数の支援者の個人情報を格納している記録媒体である支援登録データベースと、地図データを格納している記録媒体である地図データベースと、複数の携帯端末に現在位置情報データを要求する支援制御手段を備え、支援制御手段は、地図画像データを生成し、携帯端末から出力される現在位置情報データに基づいて、地図画像データ上で携帯端末の現在位置を示す現在位置画像データを生成してなり、支援表示手段は、地図画像及び地図画像上にある現在位置画像を表示することを特徴とする携帯端末を使用した特定事項支援システム。【選択図】  図１１
2011186947.tif 000002
【特許請求の範囲】
【請求項１】
特定事項を支持する複数の支持者に使用され、ＧＰＳ電波に基づいて現在位置を特定して、前記特定した現在位置を現在位置情報データとして出力する複数の携帯端末と、
前記複数の携帯端末の前記現在位置情報データに基づいて、前記特定事項を支援するための画像データを生成する支援管理サーバーと、
前記支援管理サーバーで生成された画像データに基づいて、画像を表示する支援表示手段を備え、
前記複数の携帯端末及び前記支援管理サーバーは、ネットワークによって通信接続されてなる携帯端末を使用した特定事項支援システムであって、
前記支援管理サーバーは、
前記複数の支持者の個人情報を格納している記録媒体である支持者登録データベースと、
地図データを格納している記録媒体である地図データベースと、
前記複数の携帯端末に現在位置情報データを要求する支援制御手段を備えてなり、
前記支援制御手段は、
前記地図データベースから前記特定事項の地域に対応する地図データを読み出して、地図画像データを生成し、
前記複数の携帯端末から出力される現在位置情報データに基づいて、前記地図画像データ上で前記複数の携帯端末の現在位置を示す現在位置画像データを生成してなり、
前記支援表示手段は、
前記地図画像データ及び前記現在位置画像データに基づいて、前記地図画像、及び前記地図画像上にある前記複数の携帯端末の前記現在位置画像を表示することを特徴とする携帯端末を使用した特定事項支援システム。
【請求項２】
前記ネットワークによって前記支援管理サーバーに通信接続され、ＧＰＳ電波に基づいて現在位置を特定して、前記特定した現在位置を車両現在位置情報データとして出力する街宣車両を備えており、
前記支持制御手段は、
前記街宣車両から出力される前記車両現在位置情報データに基づいて、前記地図画像データ上で前記街宣車両の現在位置を示す車両現在位置画像データを生成してなり、
前記支持表示手段は、
前記車両位置画像データに基づいて、前記地図画像上にある前記街宣車両の車両現在位置画像を表示することを特徴とする請求項１に記載の携帯端末を使用した特定事項支援システム。
【請求項３】
前記支援制御手段は、
前記複数の支持者の個人情報である住所データに基づいて、前記地図画像データ上で前記複数の支持者の住所を示す住所画像データを生成し、
前記支援表示手段は、
前記住所画像データに基づいて、前記地図画像上にある前記複数の支持者の前記住所画像を表示することを特徴とする請求項１又は２に記載の携帯端末を使用した特定事項支援システム。
【請求項４】
前記支援管理サーバーは、前記携帯端末を使用してアクセスされた前記支持者の個人情報を登録可能であり、
前記支援管理サーバーは、
既存の支持者の個人情報、及び前記携帯端末を使用して登録した支持者の個人情報の別に前記支持者登録データベースに格納し、
前記支援制御手段は、
前記既存の支持者又は前記携帯端末を使用して登録した支持者の別に、前記現在位置画像データ、又は前記住所画像データを生成するものであり、
前記支援表示手段は、
前記現在位置画像データ又は前記住所画像データに基づいて、前記地図画像上にある前記現在位置画像又は前記住所画像を表示し、
前記既存の支持者と前記携帯端末を使用して登録した支持者では、前記現在位置画像、前記住所画像を異なる表示態様で表示することを特徴とする請求項１乃至３の何れかに記載の携帯端末を使用した特定事項支援システム。
【請求項５】
前記支援管理サーバーは、前記携帯端末を使用してアクセスされ、前記携帯端末で前記支援管理サーバーの各種情報データを閲覧可能であることを特徴とする請求項１乃至４の何れかに記載の携帯端末を使用した特定事項支援システム。
【請求項６】
前記支援サーバーの各種情報データは、前記地図画像データ、前記現在位置画像データあることを特徴とする請求項５に記載の携帯端末を使用した特定事項支援システム。
【請求項７】
前記特定事項とは、政治活動、宗教活動、商品の街頭販売、街頭催し、又は演芸等興行であることを特徴とする請求項１乃至６の何れかに記載の携帯端末を使用した特定事項支援システム。
【発明の詳細な説明】
【技術分野】
【０００１】
本発明は、携帯電話等の携帯端末を使用して特定事項を支援するシステムに関するものである。特定事項とは、政治活動、宗教活動、商品の街頭販売、街頭での催し、演芸等の興行をいう。
【背景技術】
【０００２】
特定事項の一例として、政治家を支持・支援する支持者は、政治活動の一環として政治家に献金を提供することが行われている。この献金の提供は、金融機関による振込みを利用して行われている。
近年、インターネットの普及により、携帯端末を使用して献金を簡単に行なえる技術が開発されている。
【０００３】
携帯端末を使用して献金を行う技術として、特許文献１の開示の技術では、携帯電話をネットワークによって受付代行機関、及び決済機関に接続し、携帯電話の操作により献金の金額、クレジットカード番号を受付代行機関に送信する。受付代行機関は、決済必要情報を決済機関へ送信する。決済機関は、決済可能であれば、献金の金額をクレジット決済する。
【０００４】
政治活動の一環として、街頭演説、街宣車両の街宣によって政治家の指針を有権者（支持者）に訴える必要がある。
しかしながら、特許文献１に開示する技術において、街頭演説、街宣車両の街宣は、専ら有権者（支持者）の集まりそうな場所を予測して行わなければならず、効率的に多数の有権者（支持者）に政治家の指針を訴えることができない。
【先行技術文献】
【特許文献】
【０００５】
【特許文献１】特開２００２−２５９８８０号公報
【発明の概要】
【発明が解決しようとする課題】
【０００６】
本発明が解決しようとする課題は、上記の問題に鑑み、特に、政治活動を行う地域の支持者の現在位置を把握して、効率良く街頭演説や街宣車両の街宣を行うことのできる携帯端末を使用した特定事項支援システムを提供するものである。
【課題を解決するための手段】
【０００７】
請求項１に係る発明は、特定事項を支持する複数の支持者に使用され、ＧＰＳ電波に基づいて現在位置を特定して、前記特定した現在位置を現在位置情報データとして出力する複数の携帯端末と、前記複数の携帯端末の前記現在位置情報データに基づいて、前記特定事項を支援するための画像データを生成する支援管理サーバーと、前記支援管理サーバーで生成された画像データに基づいて、画像を表示する支援表示手段を備え、前記複数の携帯端末及び前記支援管理サーバーは、ネットワークによって通信接続されてなる携帯端末を使用した特定事項支援システムであって、前記支援管理サーバーは、前記複数の支持者の個人情報を格納している記録媒体である支持者登録データベースと、地図データを格納している記録媒体である地図データベースと、前記複数の携帯端末に現在位置情報データを要求する支援制御手段を備えてなり、前記支援制御手段は、前記地図データベースから前記特定事項の地域に対応する地図データを読み出して、地図画像データを生成し、前記複数の携帯端末から出力される現在位置情報データに基づいて、前記地図画像データ上で前記複数の携帯端末の現在位置を示す現在位置画像データを生成してなり、前記支援表示手段は、前記地図画像データ及び前記現在位置画像データに基づいて、前記地図画像、及び前記地図画像上にある前記複数の携帯端末の前記現在位置画像を表示することを特徴とする携帯端末を使用した特定事項支援システムに関する。
【０００８】
請求項２に係る発明は、前記ネットワークによって前記支援管理サーバーに通信接続され、ＧＰＳ電波に基づいて現在位置を特定して、前記特定した現在位置を車両現在位置情報データとして出力する街宣車両を備えており、前記支持制御手段は、前記街宣車両から出力される前記車両現在位置情報データに基づいて、前記地図画像データ上で前記街宣車両の現在位置を示す車両現在位置画像データを生成してなり、前記支持表示手段は、前記車両位置画像データに基づいて、前記地図画像上にある前記街宣車両の車両現在位置画像を表示することを特徴とする請求項１に記載の携帯端末を使用した特定事項支援システムに関する。
【０００９】
請求項３に係る発明は、前記支援制御手段は、前記複数の支持者の個人情報である住所データに基づいて、前記地図画像データ上で前記複数の支持者の住所を示す住所画像データを生成し、前記支援表示手段は、前記住所画像データに基づいて、前記地図画像上にある前記複数の支持者の前記住所画像を表示することを特徴とする請求項１又は２に記載の携帯端末を使用した特定事項支援システムに関する。
【００１０】
請求項４に係る発明は、前記支援管理サーバーは、前記携帯端末を使用してアクセスされた前記支持者の個人情報を登録可能であり、前記支援管理サーバーは、既存の支持者の個人情報、及び前記携帯端末を使用して登録した支持者の個人情報の別に前記支持者登録データベースに格納し、前記支援制御手段は、前記既存の支持者又は前記携帯端末を使用して登録した支持者の別に、前記現在位置画像データ、又は前記住所画像データを生成するものであり、前記支援表示手段は、前記現在位置画像データ又は前記住所画像データに基づいて、前記地図画像上にある前記現在位置画像又は前記住所画像を表示し、前記既存の支持者と前記携帯端末を使用して登録した支持者では、前記現在位置画像、前記住所画像を異なる表示態様で表示することを特徴とする請求項１乃至３の何れかに記載の携帯端末を使用した特定事項支援システムに関する。
【００１１】
請求項５に係る発明は、前記支援者管理サーバーは、前記携帯端末を使用してアクセスされ、前記携帯端末で前記支援管理サーバーの各種情報データを閲覧可能であることを特徴とする請求項１乃至４の何れかに記載の携帯端末を使用した特定事項支援システムに関する。
【００１２】
請求項６に係る発明は、前記支援サーバーの各種情報データは、前記地図画像データ、前記現在位置画像データあることを特徴とする請求項５に記載の携帯端末を使用した特定事項支援システムに関する。
【００１３】
請求項７に係る発明は、前記特定事項とは、政治活動、宗教活動、商品の街頭販売、街頭催し、又は演芸等興行であることを特徴とする請求項１乃至６の何れかに記載の携帯端末を使用した特定事項支援システムに関する。
【発明の効果】
【００１４】
請求項１に係る発明によれば、特定事項を支持する複数の支持者に使用され、ＧＰＳ電波に基づいて現在位置を特定して、前記特定した現在位置を現在位置情報データとして出力する複数の携帯端末と、前記複数の携帯端末の前記現在位置情報データに基づいて、前記特定事項を支援するための画像データを生成する支援管理サーバーと、前記支援管理サーバーで生成された画像データに基づいて、画像を表示する支援表示手段を備え、前記複数の携帯端末及び前記支援管理サーバーは、ネットワークによって通信接続されてなる携帯端末を使用した特定事項支援システムであって、前記支援管理サーバーは、前記複数の支持者の個人情報を格納している記録媒体である支持者登録データベースと、地図データを格納している記録媒体である地図データベースと、前記複数の携帯端末に現在位置情報データを要求する支援制御手段を備えてなり、前記支援制御手段は、前記地図データベースから前記特定事項の地域に対応する地図データを読み出して、地図画像データを生成し、
前記複数の携帯端末から出力される現在位置情報データに基づいて、前記地図画像データ上で前記複数の携帯端末の現在位置を示す現在位置画像データを生成してなり、前記支援表示手段は、前記地図画像データ及び前記現在位置画像データに基づいて、前記地図画像、及び前記地図画像上にある前記複数の携帯端末の前記現在位置画像を表示するので、特に、支援管理サーバーの管理者は、政治活動を行う地域において、支持者の現在位置を認識でき、複数の支持者の密集・分散を確実に把握できる。
これにより、支援管理サーバーの管理者は、地図画像及び現在位置画像（支持者の現在位置）によって、政治活動の街頭演説の地点や街宣車両の走行経路を決定できる。即ち、支援管理サーバーの管理者は、支持者が密集している地点、支持者が分散して疎になっている地点において、政治活動（街頭演説、街宣車両の走行）を行うことを決定できる。
この結果、政治活動を行う地域、例えば選挙区において、政治活動を効率良くでき、その効果を最大限にすることが可能である。
なお、政治活動以外の他の特定事項についても、同様であり、地図画像及び現在位置画像（支持者の現在位置）によって、特定事項（宗教活動、商品の街頭販売、演芸等の興行等）を行う地点や街宣車両の走行経路を決定でき、この結果、特定事項を行う地域において、この特定事項を効率良くでき、その効果を最大限にすることが可能である。
【００１５】
請求項２に係る発明によれば、前記ネットワークによって前記支援管理サーバーに通信接続され、ＧＰＳ電波に基づいて現在位置を特定して、前記特定した現在位置を車両現在位置情報データとして出力する街宣車両を備えており、前記支持制御手段は、前記街宣車両から出力される前記車両現在位置情報データに基づいて、前記地図画像データ上で前記街宣車両の現在位置を示す車両現在位置画像データを生成してなり、前記支持表示手段は、
前記車両位置画像データに基づいて、前記地図画像上にある前記街宣車両の車両現在位置画像を表示するので、特に、支援管理サーバーの管理者は、政治活動を行う地域において、街宣車両の現在位置を確実に把握できる。
これにより、支援管理サーバーの管理者は、支持者の現在位置から把握される密集、分散に基づいて、街宣車両の走行経路を決定できる。
また、政治活動の街頭演説を行う地点に対して、街宣車両の最短走行経路も決定できる。
なお、政治活動以外の特定事項についても、同様であり、支持者の現在位置から把握される密集、分散に基づいて、特定事項の街宣車両の走行経路を決定できる。
【００１６】
請求項３に係る発明によれば、前記支援制御手段は、前記複数の支持者の個人情報である住所データに基づいて、前記地図画像データ上で前記複数の支持者の住所を示す住所画像データを生成し、前記支援表示手段は、前記住所画像データに基づいて、前記地図画像上にある前記複数の支持者の前記住所画像を表示するので、特に、政治活動を行う地域において、支持者が自宅（住所）に滞在しているか外出しているかを把握できる。
支援管理サーバーの管理者は、一日の時間帯別（朝、昼、晩）に、現在位置情報データ（支持者の現在位置）を取得することで、支持者の行動を確実に認識できる。
これにより、支援管理サーバーの管理者は、一日の時間帯で何時、街頭演説を行えば支持者を多く集めて効率良く、政治活動を行えるかを決定できる。
なお、政治活動以外の特定事項についても、同様であり、一日の時間帯で何時、特定事項を行えば支持者を多く集めて効率良く、特定事項を行えるかを決定できる。
【００１７】
請求項４に係る発明によれば、前記支援管理サーバーは、前記携帯端末を使用してアクセスされた前記支持者の個人情報を登録可能であり、前記支援管理サーバーは、既存の支持者の個人情報、及び前記携帯端末を使用して登録した支持者の個人情報の別に前記支持者登録データベースに格納し、前記支援制御手段は、前記既存の支持者又は前記携帯端末を使用して登録した支持者の別に、前記現在位置画像データ、又は前記住所画像データを生成するものであり、前記支援表示手段は、前記現在位置画像データ又は前記住所画像データに基づいて、前記地図画像上にある前記現在位置画像又は前記住所画像を表示し、前記既存の支持者と前記携帯端末を使用して登録した支持者では、前記現在位置画像、前記住所画像を異なる表示態様で表示するので、特に、既存の支持者と携帯端末を使用する支持者の別に、支持者の行動を確実に認識できる。
これにより、支援管理サーバーの管理者は、支持者の別に、政治活動を行う時間帯等を決定することが可能となる。
なお、政治活動以外の特定事項についても、同様であり、特定事項を行う時間帯等を決定することが可能となる。
【００１８】
請求項５に係る発明によれば、前記支援管理サーバーは、前記携帯端末を使用してアクセスされ、前記携帯端末で前記支援管理サーバーの各種情報データを閲覧可能であるので、携帯端末を使用する支持者は、特に、政治活動を行う予定等の各種情報データを支援管理サーバーから取得できる。
なお、携帯端末を使用する支持者は、特定事項を行う予定等の各種情報データを支持管理サーバーから取得できる。
【００１９】
請求項６に係る発明によれば、前記支援サーバーの各種情報データは、前記地図画像データ、前記現在位置画像データあるので、携帯端末を使用する支持者は、地図画像、現在位置画像を検討することで、特に、政治活動の街頭演説を行う地点を把握できる。
なお、携帯端末を使用する支持者は、地図画像、現在位置画像を検討することで、特定事項を行う地点を把握できる。
【００２０】
請求項７に係る発明によれば、前記特定事項とは、政治活動、宗教活動、商品の街頭販売、街頭催し、又は演芸等興行であるので、多様な活動に使用できる。
【図面の簡単な説明】
【００２１】
【図１】本発明に係る携帯端末を使用した特定支援システムであって、一例として政治活動支援システムの概略構成を示す図である。
【図２】図１の携帯電話の具体的構成を示すブロック図である。
【図３】図１の街宣車両の具体的構成を示すブロック図である。
【図４】図１の支援管理サーバーの具体的構成を示すブロック図である。
【図５】図４の支援管理サーバーに記憶されている支持者登録マスターデータベースを示す図である。
【図６】携帯電話に表示される登録画像を示す図であって、（ａ）はトップページを示す図、（ｂ）は支持者登録ページを示す図である。
【図７】図４の支援表示手段に地図画像、及び支持者の現在位置画像を表示する手順を示すフローチャート図である。
【図８】図２の携帯電話から現在位置情報データを支援管理サーバーに送信する手順を示すフローチャート図である。
【図９】図４の支援表示手段に表示される支持者リスト画像を示す図である。
【図１０】図４の支援表示手段に表示される支持者個別画像を示す図である。
【図１１】図４の支援表示手段に表示される地図画像・現在位置画像を示す図である。
【図１２】図４の支援表示手段に表示される地図画像・現在位置画像を示す図であって、支持者別に現在位置が像を示す部分図である。
【図１３】図４の支援表示手段に車両現在位置画像を表示する手順を示すフローチャート図である。
【図１４】図３の街宣車両から車両現在位置情報データを支援管理サーバーに送信する手順を示すフローチャート図である。
【図１５】図４の支援表示手段に住所画像を表示する手順を示すフローチャート図である。
【図１６】図４の支援表示手段に表示される地図画像・現在位置画像・住所画像を示す部分図である。
【図１７】図４の支援表示手段に表示される地図画像・現在位置画像・住所画像を示す部分図であって、支持者別に住所画像を示す図である。
【発明を実施するための形態】
【００２２】
本発明に係る携帯端末を使用した特定事項支援システムについて、図面を参照して説明する。以下、特定事項の一例として、政治活動を支援するための支援システムについて説明する。
【００２３】
政治活動支援システムの構成
先ず、政治活動支援システムの構成を、図１〜図５を参照して説明する。
図１は本発明に係る携帯端末を使用した特定支援システムであって、一例として政治活動支援システムの概略構成を示す図である。図２は図１の携帯電話の具体的構成を示すブロック図である。図３は図１の街宣車両の具体的構成を示すブロック図である。図４は図１の支援管理サーバーの具体的構成を示すブロック図である。図５は図４の支援管理サーバーに記憶されている支持者登録マスターデータベースを示すデータ図である。
【００２４】
図１において、政治活動支援システム（１）は、ＧＰＳ(Global Positioning System：全地球測位システム)用衛星群（２）と、複数の携帯電話（３：携帯端末）と、街宣車両（５）と、ネットワーク（６：インターネット）と、支援管理サーバー（７）を備えている。複数の携帯電話（３）、街宣車両（５）及び支援管理サーバー（７）は、図１に示すように、インターネット（６）を介して相互に通信接続されている。
【００２５】
［ＧＰＳ用衛星群（２）の構成］
ＧＰＳ用衛星群（２）は、図１に示すように、複数のＧＰＳ用衛星（図示せず）からなり、各ＧＰＳ用衛星（図示せず）が位置特定用のＧＰＳ電波（ＧＰＳ信号）を発信している。
【００２６】
［携帯電話（３）の構成］
複数の携帯電話（３）は、図１に示すように、政治活動を支持・支援する複数の支持者により使用される。複数の携帯電話（３）は、図１及び図２に示すように、携帯用ＧＰＳ受信手段（１１）、携帯用表示手段（１２）、携帯用制御手段（１３）、携帯用入力手段（１４）及び携帯用無線通信手段（１５）を備えて構成される。
【００２７】
携帯用ＧＰＳ受信手段（１１）は、図１及び図２に示すように、ＧＰＳ用衛星群（２）を構成する複数のＧＰＳ用衛星（図示せず）から発信されるＧＰＳ電波を受信する。
【００２８】
携帯用表示手段（１２）は、図１及び図２に示すように、液晶パネル、有機ＥＬディスプレイ等の表示パネルと、表示パネルを駆動する駆動回路（図示せず）を備えている。
【００２９】
携帯用制御手段（１３）は、図２に示すように、携帯電話（３）の各手段を制御するコントローラである。この携帯用制御手段（１３）は、携帯用ＧＰＳ受信手段（１１）が受信したＧＰＳ電波（ＧＰＳ信号）に基づいて現在位置を特定（緯度経度測位）して、現在位置情報データとして出力する。
【００３０】
携帯用入力手段（１４）は、図１及び図２に示すように、テンキーやカーソル等のボタン群（１８）から構成される。支持者は、ボタン群（１８）を操作することで、支持者の個人情報等を入力できる。
【００３１】
携帯用無線通信手段（１５）は、図１及び図２に示すように、街宣車両（５）及び支援管理サーバー（７）との間でデータ通信又は音声通信を行う通信回路である。支持者は、携帯電話（３）からインターネット（６）を介して支援管理サーバー（７）にアクセスできる。
【００３２】
［街宣車両（５）の構成］
街宣車両（５）は、図１に示すように、政治家や支持者が政治家の指針・理念や支援を街宣するための車両である。この街宣車両（５）は、図３に示すように、携帯端末又はコンピュータ端末等の情報処理装置（２１）を備えている。
【００３３】
情報処理装置（２１）は、図３に示すように、車両用ＧＰＳ受信手段（２２）、車両用表示手段（２３）、車両用制御手段（２４）、車両用入力手段（２５）及び車両用無線通信手段（２６）を備えて構成されている。
【００３４】
車両用ＧＰＳ受信手段（２２）は、図３に示すように、ＧＰＳ用衛星群（２）を構成する複数のＧＰＳ衛星（図示せず）から発信されるＧＰＳ電波を受信する。
【００３５】
車両用表示手段（２３）は、図３に示すように、液晶パネル、有機ＥＬディスプレイ等の表示パネルと、表示パネルを駆動する駆動回路（図示せず）を備えている。
【００３６】
車両用制御手段（２４）は、図３に示すように、情報処理装置（２１）の各手段を制御するコントローラである。この車両用制御手段（２４）は、車両用ＧＰＳ受信手段（２２）が受信したＧＰＳ電波（ＧＰＳ信号）に基づいて現在位置を特定（緯度経度測位）して、車両現在位置情報データとして出力する。
【００３７】
車両用入力手段（２５）は、図３に示すように、テンキーやカーソル等のボタン群（２８）から構成される。街宣車両（５）に乗車する支持者、政治家は、ボタン群（２８）を操作することで、各種情報を入力できる。
【００３８】
車両用無線通信手段（２６）は、図１及び図２に示すように、複数の携帯電話（３）及び支援管理サーバー（７）との間でデータ通信又は音声通信を行う通信回路である。街宣車両（５）に乗車する支持者、政治家は、インターネット（６）を介して支援管理サーバー（７）にアクセスできる。
【００３９】
［支援管理サーバー（７）の構成］
支援管理サーバー（７）は、図４に示すように、支援制御手段（３１）、情報データ記憶手段（３２）、ハードディスク手段（３３）及び支援無線通信手段（３４）を備えている。この支援管理サーバー（７）は、選挙管理事務所等に設置される。
【００４０】
支援制御手段（３１）は、図４に示すように、バードディスク手段（３３）に記録されているオペレーティング・システム（図示せず）、位置管理プログラム、画像生成プログラム等その他のアプリケーションに基づいた処理を実行する。この支援制御手段（３１）は、図４に示すように、画像形成部（３５）を有し、画像データ記憶部（３６）に記憶されている画像データ及び地図データベース（３８）の地図データから種々画像データを生成する。
【００４１】
情報データ記憶手段（３２）は、図４に示すように、支援制御手段（３１）の作業領域を提供するもので、複数の携帯電話（３）の現在位置情報データ及び街宣車両（５）の車両現在位置情報データ等を記憶する。
【００４２】
ハードディスク手段（３３）は、図４に示すように、オペレーティング・システム（図示せず）、位置管理プログラム、画像生成プログラム等その他のアプリケーション、支持者登録マスターデータベース（３７）及び地図データベース（３８）を記憶保持している。また、ハードディスク手段（３３）は、街宣車両（５）の情報処理装置（２１）のメール（送信）アドレスを記憶している。
【００４３】
支持者登録マスターデータベース（３７）は、図５に示すように、支持者に関する個人情報を格納（登録）する記録媒体である。この支持者登録マスターデータベース（３７）には、図５に示すように、［端末ＩＤ（通信ＩＤ）］列（Ｃ１０１）、［氏名データ］列（Ｃ１０２）、［住所データ］列（Ｃ１０３）、［携帯電話番号データ］列（Ｃ１０４）、［メール（送信）アドレスデータ］列（Ｃ１０５）及び［画像番号］列（Ｃ１０６）を有している。
【００４４】
［端末ＩＤ（通信ＩＤ）］列（Ｃ１０1）は、図５に示すように、支持者の使用する携帯電話（３）毎に割り振られているＩＤであり、携帯電話（８）を使用して登録した支持者に対して［Ｘ００１、Ｘ００２、・・・］の端末ＩＤが割り振られ、支援管理サーバー（７）に直接入力して登録した既存の支持者に対して［Ｙ００１、Ｙ００２、・・・・］の端末ＩＤが割り振られている。これにより、支援管理サーバー（７）の支援制御手段（３１）は、図５に示すように、端末ＩＤ（通信ＩＤ）によって携帯電話（３）を使用して登録した支持者か、既存の支持者かを識別できる。
【００４５】
［氏名データ］列（Ｃ１０２）には、図５に示すように、［端末ＩＤ（通信ＩＤ）］列（Ｃ１０１）の支持者の氏名が登録されており、［住所データ］列（Ｃ１０３）には［端末ＩＤ（通信ＩＤ）］列（Ｃ１０１）の支持者の住所が登録されている。また、［携帯電話番号データ］列（Ｃ１０４）には、図５に示すように、［端末ＩＤ（通信ＩＤ）］列（Ｃ１０１）の支持者の携帯電話番号が登録されており、［メール（送信）アドレスデータ］列（Ｃ１０５）には［端末ＩＤ（通信ＩＤ）］の支持者のメール（送信）アドレスが登録されている。［画像番号］列（Ｃ１０６）には、図５に示すように、［端末ＩＤ（通信ＩＤ）］列の支持者の画像番号が登録されている。
【００４６】
地図データベース（３８）は、図４に示すように、複数の地図データを格納する記録媒体である。この地図データは、建物や道路等の地物の形状を示す図形データが含まれている。
これにより、支援制御手段（３１）は、政治活動の地域（例：選挙区）に対応する地図データを地図データベース（３７）から検索し、上記地域の地図データを読み出すことができる。
【００４７】
また、支援管理サーバー（７）には、図４に示すように、キーボード（５１）、マウス（５２）からなる入力手段、ディスプレイ（液晶パネル、有機ＥＬディスプレイ等）及び駆動回路からなる支援表示手段（５３）が接続されている。支援表示手段（５３）は、ディスプレイに支援制御手段（３１）が生成する地図画像、位置画像等を表示する。また、支援管理サーバー（７）には、図４に示すように、ＣＤ−ＲＯＭドライブ（５４）も接続されている。
【００４８】
支援管理サーバーの登録手順
支持者の個人情報（プロフィール）を支援管理サーバーに登録する手順について、図１、図２及び図６を参照して説明する。
図６は携帯電話に表示される登録画像を示す図であって、（ａ）はトップページを示す図、（ｂ）は支持者登録ページを示す図である。
【００４９】
［携帯電話（３）を使用した登録］
複数の支持者は、図１及び図２に示すように、携帯用入力手段（１４）のボタン群（１８）を操作して、支援管理サーバー（７）にアクセスする。これによって、携帯電話（３）は、図６（ａ）に示すように、支援管理サーバーからトップページ（ＴＰ）を取得して携帯用表示手段（１２）に出力する。
【００５０】
図６（ａ）に示すトップページ（ＴＰ）において、支持者が支持者登録する旨の操作（「支持者登録」）を行うと、携帯電話（３）は、図６（ｂ）に示すように、支援管理サーバー（７）から支持者登録ページ（ＭＰ）を収得して携帯用表示手段（１２）に出力する。
【００５１】
図６（ｂ）に示す支持者登録ページ（ＭＰ）において、支持者は図２に示すボタン群（１８）を操作することで、氏名、住所、携帯電話番号、メール（送信）アドレス及び支持者の画像からなる個人情報（プロフィール）を入力する。続いて、支持者は、図６（ｂ）に示すように、登録する旨の操作（「登録」）を行うと、これら入力情報（個人情報）を含む支持者登録要求が支援管理サーバー（７）に送信される。
この支持者登録要求は、図１、図２及び図４に示すように、携帯用無線通信手段（１５）、インターネット（６）及び支援無線通信手段（３４）を通じて支援管理サーバー（７）に送信される。
【００５２】
支援管理サーバー（７）の支援制御手段（３１）は、図４及び図５に示すように、支持者登録マスタデーターベース（３７）を検索して、既に登録されていないことを条件に、これら入力情報（個人情報）を端末ＩＤ（Ｘ００１、Ｘ００２、・・・・）に対応付けて支持者登録マスターデータベース（３７）に格納（登録）する。支援管理サーバー（７）は、図１に示すように、登録できた旨を示すダウンロードページを携帯電話（３）に送信して、登録手続を完了する。
【００５３】
［既存の支持者の登録］
支援管理サーバー（７）の管理者は、図４に示すように、キーボード（５１）及びマウス（５２）を操作することで、既存の支持者の個人情報（プロフィール）を入力する。
支援制御手段（３１）は、図４及び図５に示すように、支持者登録マスターデータベース（３７）を検索して、既に登録されていないことを条件に、これら入力情報（個人情報）を端末ＩＤ（Ｙ００１、Ｙ００２、・・・・・）に対応付けて支持者登録マスターデータベース（３７）に格納（登録）する。
【００５４】
このように、政治活動を支持・支援する支持者の個人情報（プロフィール）は、図４及び図５に示すように、携帯電話（３）を使用して、又はキーボード（５１）、マウス（５２）を使用して、支援管理サーバー（７）の支持者登録マスターデータベース（３７）に格納（登録）される。
なお、以下、携帯電話（３）を使用して登録した支持者を「携帯登録支持者」と、既存の支持者を「既存支持者」と称する。
【００５５】
政治活動を支援する表示手順
政治活動を支援する画像の表示手順について、図１〜図５、及び図７〜図１６を参照して説明する。
【００５６】
［支持者の現在位置画像の表示手順］
支持者の現在位置画像を、図４に示す支援表示手段（５３）に表示する手順について、図１、図２、図４、図５及び図７〜図１２を参照して説明する。
図７は図４の支援表示手段に地図画像、及び支持者の現在位置画像を表示する手順を示すフローチャート図である。図８は図２の携帯電話から現在位置情報データを支援管理サーバーに送信する手順を示すフローチャートである。図９は図４の支援表示手段に表示される支持者リスト画像を示す図である。図１０は図４の支援表示手段に表示される支持者個別画像を示す図である。図１１は図４の支援表示手段に表示される地図画像・現在位置画像を示す図である。図１２は図４の支援表示手段に表示される地図画像・現在位置画像を示す図であって、支持者別に現在位置画像を示す部分図である。
【００５７】
支援管理サーバー（７）の管理者は、図４に示すように、キーボード（５１）及びマウス（５２）を操作して、支援管理サーバー（７）に地図・位置表示要求を入力する（図７：ＳＴ０１）。
支援管理サーバー（７）の支援制御手段（３１）は、図４に示すように、支持者登録マスターデータベース（３７）から登録されている各支持者のメール（送信）アドレスを読み出して、現在位置情報データの送信要求（送信要求信号）を各携帯電話（３）に出力する（図７：ＳＴ０２）。
この送信要求（送信要求信号）は、図１及び図２に示すように、支援管理サーバー（７）の支援無線通信手段３４、インターネット（６）及び携帯用無線通信手段（１５）を通して各携帯電話（３）に送信される。
【００５８】
携帯電話（３）の携帯用制御手段（１３）は、送信要求（送信要求信号）を入力すると、図１及び図２に示すように、携帯用ＧＰＳ受信機（１１）が受信したＧＰＳ用電波（ＧＰＳ用信号）に基づいて、携帯電話（３）の現在位置（支持者の現在位置）を特定（緯度経度測定）する（図８：ＳＴ０Ａ、ＳＴ０Ｂ）。
携帯電話（３）の携帯用制御手段（１３）は、図２に示すように、特定（緯度経度測定）した現在位置を現在位置情報データとして、通信ＩＤ（端末ＩＤ）と共に支援管理サーバー（７）に送信する。この送信は、図１、図２及び図４に示すように、携帯電話（３）の携帯用無線通信手段（１５）、インターネット（６）及び支持無線通信手段（３４）を通して支援管理サーバー（７）に送信される（図８：ＳＴ０Ｃ）。
【００５９】
支援管理サーバー（７）は、図４に示すように、各携帯電話（３）から送信される現在位置情報データ及び通信ＩＤ（端末ＩＤ）を入力すると（図７：ＳＴ０３）、これらを情報データ記憶手段（３２）に記憶する（図７：ＳＴ０４）。
【００６０】
支援管理サーバー（７）の支援制御手段（３１）は、図４に示すように、キーボード（５１）及びマウス（５２）の操作によって入力される政治活動の地域に基づいて、ハードディスク手段（３３）の地図データベース（３８）から政治活動の地域に対応する地図データを読み出し（図７：ＳＴ０５）、この地図データに基づいて地図画像データを生成する（図７：ＳＴ０６）。
この生成した地図画像データは、図４に示すように、情報データ記憶手段（３２）に記憶される。
【００６１】
支援制御手段（３１）は、図４に示すように、情報データ記憶手段（３２）に記憶した現在位置情報データを読み出し、この現在位置情報データが地図画像データ上にあるかを判別する（図７：ＳＴ０７）。
この判別は、支持者が現在、地図データの示す地域に居るか否かを判別することである。
【００６２】
支援制御手段（３１）は、現在位置情報データが地図画像データ上にないと（図７：ＳＴ０７、Ｎｏ）、現在位置情報データの位置画像データを生成しない。
一方、支援制御手段（３１）は、現在位置情報データが地図画像データ上にあると（図７：ＳＴ０７、Ｙｅｓ）、情報データ記憶手段（３２）に記憶している通信ＩＤ（端末ＩＤ）から支持者を認定して（図７：ＳＴ０８）、情報データ記憶手段（３２）に記憶している現在位置情報データを読み出して、この現在位置情報データに基づいて現在位置画像データを生成する（図７：ＳＴ０９）。
この生成した現在位置画像データは、情報データ記憶手段（３２）に記憶される。
【００６３】
支援制御手段（３１）は、送信要求（送信要求信号）を送信した全ての携帯電話（３）について、現在位置画像データの生成・非生成の手順を実行する（ＳＴ１０）。
【００６４】
支援制御手段（３１）は、全ての携帯電話（３）について、現在位置画像データの生成・非生成の手順を実行すると（図７：ＳＴ１０、Ｙｅｓ）、生成した地図画像データ及び現在位置画像データに基づいて、図４に示す支援表示手段（５３）に地図画像、及び現在位置画像を表示する。
【００６５】
支援表示手段（５３）の表示態様は、支援管理サーバー（７）の管理者の操作に基づいて、支持者管理リスト画像（図９参照）、支持者個別画像（図１０参照）及び地図・位置画像（図１１参照）の順で表示される。
支援制御手段（３１）は、図４に示すように、地図表示要求（地図表示信号）に基づいて、支持者登録マスターデータベース（３７）から支持者の画像番号を読み出す。支援制御手段（３１）の画像形成部（３５）は、図４に示すように、画像データ記憶部（５６）に記憶されている支持者の画像データ、及びリスト画像データに基づいて、支持者管理リスト画像データを生成する。
この生成した支持者管理リスト画像データに基づいて、図９に示すように、支持者管理リスト画像が支援表示手段（５３）に表示される。この支持者管理リスト画像は、図９に示すように、支持者登録マスターデータベース（３７）に登録されている支持者の画像を配列表示したものである。
【００６６】
続いて、支援管理サーバー（７）の管理者は、図４に示すマウス（５２）を操作して、支持者管理リスト画像（図９参照）の特定支持者の画像を指定（クリック）すると、支援制御手段（３１）の画像形成部（３５）は、図１０に示すように、図４に示す画像データ記憶部（３６）に記憶されている画像データに基づいて、支持者個別画像データを生成して、この支持者個別画像データに基づいて支持者個別画像を支援表示手段（５３）に表示する。
この支持者個別画像は、図１０に示すように、指定した特定支持者の画像、登録した支持者数（総会員数）画像、献金金額画像、地域ニュース画像、年月日時刻画像、カレンダー画像、本日の予定画像、及び縮小地図画像等からなる。また、縮小地図画像は、図４に示す情報データ記憶手段（３２）に記憶された地図画像データを読み出して表示される。
【００６７】
更に、支援管理サーバー（７）の管理者は、図１０に示す支持者個別画像のマップ拡大を、図４に示すマウス（５２）の操作によって指定（クリック）すると、支援制御手段（３１）は、図４に示すように、情報データ記憶手段（３２）に記憶されている地図画像データ、及び現在位置画像データを読み出し、これら画像データに基づいて、地図画像・現在位置画像を支援表示手段（５３）に表示する（図１１参照）。
このとき、支援表示手段（５３）は、図１１に示すように、地図画像を拡大して表示し、更に地図画像上に携帯電話（３）の現在位置画像（支持者の現在位置）を表示する。図１１において、●印は携帯電話（３）の現在位置画像（支持者の現在位置）を示している。
【００６８】
支援管理サーバー（７）の管理者は、図１１に示すように、支援表示手段（５３）に表示される地図画像・現在位置画像を検討する。この地図画像・現在位置画像は、図１１に示すように、政治活動を行う地域において、支持者の現在位置を示すもので、支持者の密集、分散状態を把握できる。また、支持者が密集している地点は、支持者以外の多くの人が密集しているとも推測できる。
これにより、支援管理サーバー（７）の管理者は、図１１に示す地図画像・現在位置画像によって、街頭演説の政治活動を行う地点（場所）を決定できる。街頭演説の政治活動は、図１１に示す地図画像・位置画像において、支持者が密集している地点（場所）又は支持者が分散して疎になっている地点（場所）で行うことができる。
また、支援管理サーバー（７）の管理者は、図１１に示す地図画像・位置画像において、街宣車両（５）の走行経路を決定できる。
そして、支援管理サーバー（７）の管理者は、図４に示すように、キーボード（５１）及びマウス（５２）を操作して、最適な街頭演説の地点（場所）を入力して、図１１に示す地図画像上に街頭演説の地点画像として表示する。図１１において、☆印は街頭演説の地点画像を示す。
【００６９】
支援管理サーバー（７）の管理者は、図４に示すように、キーボード（５１）及びマウス（５２）を操作することで、支援管理サーバー（７）に街頭演説の地点（場所）、街宣車両（５）の走行経路を入力する。そして、管理者の送信操作によって、支援制御手段（３１）は、図１、図３及び図４に示すように、支援無線通信手段（３４）、インターネット（６）及び車両用無線通信手段（２６）を通して、街宣車両（５）の情報処理装置（２１：図３参照）に街頭演説の地点データ（場所データ）、走行経路データを送信する。
【００７０】
街宣車両（５）の情報処理装置（２１）は、図３に示すように、車両用無線通信手段（２６）から街頭演説の地点データ（場所データ）及び走行経路データを入力する。車両用制御手段（２４）は、図３に示すように、街頭演説の地点データ（場所データ）及び走行経路データを入力すると、これらデータを車両用表示手段（２３）に表示させる。
これにより、街宣車両（５）は、図３に示すように、車両用表示手段（２３）に表示される地点データに基づいて、街頭演説の地点まで走行させて、該地点で街頭演説を行うことができる。また、街宣車両（５）は、図３に示すように、車両用表示手段（２３）に表示される走行経路データに基づいて、街宣車両（５）を走行させて街宣することができる。
【００７１】
また、支援管理サーバー（７）の管理者は、図４に示すように、キーボード（５１）及びマウス（５２）を操作することで、支援管理サーバー（７）に街頭演説の地点（場所）を入力する。そして、管理者の送信操作によって、支援制御手段（３１）は、図１、図２及び図４に示すように、支援無線通信手段（３４）、インターネット（６）及び携帯用無線通信手段（１５）を通して、複数の携帯電話（３：図２参照）に街頭演説の地点データ（場所データ）を送信する。
【００７２】
支持者の使用する携帯電話（３）は、図２示すように、街頭演説の地点データ（場所データ）を入力する。携帯用制御手段（１３）は、図２に示すように、街頭演説の地点データ（場所データ）を入力すると、このデータを携帯用表示手段（１４）に表示する。
これにより、複数の支持者は、街頭演説の地点（場所）を知ることができ、この街頭演説の地点（場所）に向かうことができる。
【００７３】
以上の通り、図４に示す支援表示手段（５３）に表示される地図画像・位置画像を検討することで、政治活動を行う地域（選挙区）において、支持者（支持者以外の人）の密集、分散状態を把握して、街頭演説の地点（場所）及び街宣車両（５）の走行経路を決定できる。
この結果、政治活動を行う地域において、政治活動を効率良くでき、政治活動の効果を最大限にすることが可能となる。
【００７４】
図７のフローチャート図（手順）において、現在位置画像（支持者の現在位置）を携帯登録支持者、既存支持者の別に表示することもできる。
具体的に説明すると、支援管理サーバー（７）の支援制御手段（３１）は、図４及び図５に示すように、携帯電話（３）から送信された通信ＩＤに基づいて、支持者登録マスターデータベース（３７）の端末ＩＤを検索する。
【００７５】
支援制御手段（３１）は、図４及び図５に示すように、通信ＩＤがＸ００１、Ｘ００２、・・・・の端末ＩＤと同一であると、携帯登録支持者と認定し、通信ＩＤがＹ００１、Ｙ００２、・・・・の端末ＩＤと同一であると、既存支持者と認定する（図７：ＳＴ０８）。
【００７６】
支援制御手段（３１）は、上記支持者の認定（図７：ＳＴ０８）及び現在位置情報データに基づいて、支持者別に異なる現在位置画像データを生成する（図７：ＳＴ０９）。
この現在位置画像データは、図１２に示すように、携帯登録支持者を●印とし、既存支持者を■印として生成される。
【００７７】
支援制御手段（３１）は、生成した地図画像データ及び現在位置画像データに基づいて、図４に示す支援表示手段（５３）に地図画像及び現在位置画像を表示する（図７：ＳＴ１１）。
この支援制御手段（３１）は、図１２に示すように、地図画像上に現在位置画像（支持者の現在位置）を表示する。図１２において、●印は携帯登録の現在位置画像（携帯登録支持者の現在位置）、■印は既存登録の現在位置（既存支持者の現在位置）を示している。
【００７８】
これにより、支援管理サーバー（７）の管理者は、携帯登録支持者、既存支持者毎に、政治活動の地域において、支持者の密集、分散状態を把握できる。
【００７９】
［街宣車両（５）の車両現在位置画像の表示手順］
街宣車両（５）の車両現在位置画像を、図４に示す支援表示手段（５３）に表示する手順について、図１、図３、図４、図９〜図１１、及び図１３、図１４を参照して説明する。なお、図１１に示す地図画像、及び現在位置画像は、図４に示す情報データ記憶手段（３１）に記憶されているものとして説明する。
図１３は図４の支援表示手段に車両現在位置画像を表示する手順を示すフローチャート図である。図１４は図３の街宣車両から車両現在位置情報データを支援管理サーバーに送信する手順を示すフローチャート図である。
【００８０】
支援管理サーバー（７）の管理者は、図４に示すように、キーボード（５１）及びマウス（５２）を操作して、支援管理サーバー（７）に地図・車両位置表示を要求する（図１３：ＳＴ２０）。
支援管理サーバー（７）の支援制御手段（３１）は、図４に示すように、ハードディスク手段（３３）に記憶されている情報処理装置（２１）のメール（送信）アドレスを読み出して、車両現在位置データの送信要求（送信要求信号）を街宣車両（５）の情報処理装置（２１）に出力する（図１３：ＳＴ２１）。
この送信要求（送信要求信号）は、図１及び図３に示すように、支援管理サーバー（７）の支援無線通信手段（３４）、インターネット（６）及び車両用無線通信手段（２６）を通して街宣車両（５）の情報処理装置（２１）に送信される。
【００８１】
情報処理装置（２１）の車両用制御手段（２４）は、送信要求（送信要求信号）を入力すると、図１及び図３に示すように、車両用ＧＰＳ受信機（２２）が受信したＧＰＳ電波（ＧＰＳ信号）に基づいて、街宣車両（５）の車両現在位置を特定（緯度経度測位）する（図１４：ＳＴ０ａ、ＳＴ０ｂ）。
情報処理装置（２１）の車両用制御手段（２４）は、図３に示すように、特定（測位）した車両現在位置を車両現在位置情報データとして支援管理サーバー（７）に送信する。この送信は、図１、図３及び図４に示すように、情報処理装置（２１）の車両用無線通信手段（２６）、インターネット（６）及び支援無線通信手段（３４）を通して支援管理サーバー（７）に送信される（図１４：ＳＴ０ｃ）。
【００８２】
支援管理サーバー（７）は、図４に示すように、街宣車両（５）から送信される車両現在位置情報データを入力すると（図１３：ＳＴ２２）、これを情報データ記憶手段（３２）に記憶する（図１３：ＳＴ２３）。
【００８３】
支援管理サーバー（７）の支援制御手段（３１）は、図４に示すように、情報データ記憶手段（３２）に記憶した車両現在位置情報データを読み出し、この車両現在位置情報データが地図画像データ上にあるかを判別する（図１３：ＳＴ２４）。
この判別は、街宣車両（５）が、地図データの示す地域に居るか否かを判別することである。
【００８４】
支援制御手段（３１）は、車両現在位置情報データが地図画像データ上にないと（図１３：ＳＴ２４、Ｎｏ）、車両位置画像データを生成しない。
一方、支援制御手段（３１）は、車両現在位置情報データが地図画像データ上にあると（図１３：ＳＴ２４、Ｙｅｓ）、情報データ記憶手段（３２）に記憶している車両現在位置情報データを読み出して、この車両現在位置情報データに基づいて車両現在位置画像データを生成する（図１３：ＳＴ２５）。
この生成した車両現在位置画像データは、図４に示すように、情報データ記憶手段（３２）に記憶される。
【００８５】
支援制御手段（３１）は、地図画像データ、現在位置画像データ及び車両現在位置画像データに基づいて、図４に示す支援表示手段（５３）に地図画像、現在位置画像及び車両現在位置画像を表示する（図１３：ＳＴ２６）。
この支援制御手段（３１）は、図１１に示すように、地図画像を拡大して表示し、更に地図画像上に現在位置画像（支持者の現在位置）及び車両現在位置画像（街宣車両（５）の現在位置）を支援表示手段（５３）に表示する。図１１において、▲印は街宣車両（５）の車両現在位置を示している。
なお、支援表示手段（５３）には、支持者管理リスト画像、支持者個別画像及び地図画像・現在位置画像・車両現在位置画像の順で表示される（図９〜図１１参照）。
【００８６】
支援管理サーバー（７）の管理者は、図１１に示すように、支援表示手段（５３）に表示される地図画像・現在位置画像及び車両現在位置画像を検討する。
この地図画像、現在位置画像及び車両現在位置画像は、図１１に示すように、政治活動を行う地域において、街宣車両（５）が支持者の密集する地点、又は支持者の分散する疎の地点に居るかを把握できる。
これにより、支援管理サーバー（７）の管理者は、図１１に示す車両現在位置画像に基づいて、街宣車両（５）を支持者が密集する地点、又は支持者が分散して疎となっている地点までの最短の走行経路を決定できる。
【００８７】
支援管理サーバー（７）の管理者は、図４に示すように、キーボード（５１）及びマウス（５２）を操作することで、支援管理サーバー（７）に街宣車両（５）の最短走行経路を入力する。そして、管理者の送信操作によって、支援制御手段（３１）は、図１、図３及び図４に示すように、支援無線通信手段（３４）、インターネット（６）及び車両用無線通信手段（２６）を通じて、情報処理装置（２１）に最短走行経路のデータを送信する。
【００８８】
街宣車両（５）の情報処理装置（２１）は、図３に示すように、最短走行経路のデータを入力する。車両用制御手段（２４）は、図３に示すように、最短走行経路のデータを入力すると、このデータを車両用表示手段（２３）に表示させる。
これにより、街宣車両（５）は、図３に示すように、車両用表示手段（２３）に表示される最短走行経路のデータに基づいて、支持者が密集する地点、又は支持者が分散して疎になる地点まで走行させることができる。
【００８９】
また、支援管理サーバー（７）の管理者は、送信操作によって、複数の携帯電話（３）に最短走行経路のデータを送信する。
支持者の使用する携帯電話（３）は、図２に示すように、最短走行経路のデータを入力し、このデータを携帯用表示手段（１４）に表示する。
これにより、複数の支持者は、街宣車両（５）の最短走行経路を知ることができ、この経路に向かうことができる。
【００９０】
以上の通り、図４に示す支援表示手段（５３）に表示される車両用現在位置画像を検討することで、政治活動を行う地域（選挙区）において、支持者の密集、分散状態に対する街宣車両（５）の車両現在位置を把握することができ、街宣車両（５）の最短走行経路を決定できる。
この結果、政治活動を行う地域において、街宣車両（５）を効率良く走行させることができ、政治活動の効果を最大限にすることが可能である。
なお、図４に示す支援表示手段（５３）には、図１１に示すように、現在位置画像（支持者の現在位置）も表示されるので、上記支持者の現在位置画像の表示手順で説明した効果も奏することができる。
【００９１】
［支持者の住所画像の表示手順］
支持者の住所画像を、図４に示す支援表示手段（５３）に表示する手順について、図１、図２、図４、図５、図９〜図１１、及び図１５〜図１７を参照して説明する。
図１５は図４の支援表示手段に住所画像を表示する手順を示すフローチャート図である。図１６は図４の支持表示手段に表示される地図画像・現在位置画像・住所画像を示す部分図である。図１７は図４の支持表示手段に表示される地図画像・現在位置画像・住所画像を示す図であって、支持者別に住所画像を示す部分図である。
なお、図１５において、図７と同一の符号（ＳＴ０１〜ＳＴ０９）は同一の手順であるので、その詳細説明を省略する。
【００９２】
支援管理サーバー（７）には、図２に示す携帯電話（３）から現在位置情報データ及び通信ＩＤ（端末ＩＤ）が入力される（図８：ＳＴ０Ａ〜ＳＴ０Ｃ）。
また、支援制御手段（３１）は、地図画像データを生成し、現在位置情報データに基づいて現在位置画像データを生成して、これら画像データを情報データ記憶手段（３２）に記憶している（図１５：ＳＴ０１〜ＳＴ０９）。
【００９３】
支援管理サーバー（７）の支援制御手段（３１）は、図４に示すように、情報データ記憶手段（３２）に記憶されている通信ＩＤ（端末ＩＤ）を読み出し、この通信ＩＤ（端末ＩＤ）に対応する住所データを支持者登録マスターデータベース（３７）から読み出す（図１５：ＳＴ３１）。
支援制御手段（３１）の画像形成部（３５）は、図４に示すように、画像データ記憶部（３６）に記憶されている画像データから住所データの住所画像データを生成する（図１５：ＳＴ３２）。この生成した住所画像データは、情報データ記憶手段（３２）に記憶される。
【００９４】
支援制御手段（３１）は、送信要求（送信要求信号）を送信した全ての携帯電話（３）について、現在位置画像データの生成・非生成、及び住所画像データの生成の手順を実行する（図１５：ＳＴ３３）。
【００９５】
支援制御手段（３１）は、全ての携帯電話（３）について、現在位置画像データの生成・非生成、及び住所画像データの生成を実行すると（図１５：ＳＴ３３、Ｙｅｓ）、地図画像データ、現在位置画像データ及び住所画像データに基づいて、図４に示す支援表示手段（５３）に地図画像、現在位置画像及び住所画像を表示する（図１５：ＳＴ３４）。
この支援制御手段（３１）は、図１６に示すように、地図画像上に現在位置画像（支持者の現在位置）及び住所画像（支持者の住所）を支援表示手段（５３）に表示する。
図１６において、●印は現在位置画像（支持者の現在位置）、大○印は住所画像（支持者の住所画像）を示しており、大○印中の●印は支持者が自宅（住所）に滞在していることを示している。
なお、支援表示手段（５３）には、支持者管理リスト画像、支持者個別画像及び地図画像・現在位置画像・住所画像の順で表示される（図９〜図１１）。
【００９６】
支援管理サーバー（７）の管理者は、図１６に示すように、支援表示手段（５３）に表示される地図画像・現在位置画像及び住所画像を検討する。
この地図画像・現在位置画像及び住所画像は、図１６に示すように、政治活動を行う地域において、支持者が自宅（住所）に滞在しているか外出しているかを把握できる。
これにより、支援管理サーバー（７）の管理者は、一日の時間帯（朝、昼、夜）別に現在位置画像（支持者の現在位置）を取得して検討することにより、支持者の一日の行動を把握でき、何時、街頭演説をするかを決定できる。
また、支援管理サーバー（７）の管理者は、図１６に示す地図画像・現在位置画像・住所画像において、街宣車両（５）を走行させる時間帯を決定できる。
【００９７】
以上の通り、図４に示す支援表示手段（５３）に表示される支持者（携帯電話（３））の現在位置画像及び住所画像を検討することで、街頭演説を行う時間帯、街宣車両（５）を走行させる時間帯を決定できる。この結果、政治活動を行う地域において、政治活動を効率良くでき、政治活動の効果を最大限にすることが可能となる。
【００９８】
図１５のフローチャート図（手順）において、現在位置画像（支持者の現在位置）及び住所画像（支持者の住所）を、携帯登録支持者、既存支持者別に表示することもできる。
具体的に説明すると、支援管理サーバー（７）の支援制御手段（３１）は、図４及び図５に示すように、携帯電話（３）から送信された通信ＩＤに基づいて、支持者登録マスタデータベース（３７）の端末ＩＤを検索する。
【００９９】
支援制御手段（３１）は、図４及び図５に示すように、通信ＩＤがＸ００１、Ｘ００２、・・・・の端末ＩＤと同一であると、携帯登録支持者と認定し、通信ＩＤがＹ００１、Ｙ００２、・・・・の端末ＩＤと同一であると、既存支持者と認定する（図１５：ＳＴ０８）。
【０１００】
支援制御手段（３１）は、上記支持者の認定（図１５：ＳＴ０８）及び現在位置情報データに基づいて、支持者の別に異なる現在位置画像データを生成する（図１５：ＳＴ０９）。
この現在位置画像データは、図１７に示すように、携帯登録支持者を●印とし、既存支持者を■印として生成される。
【０１０１】
支援制御手段（３１）は、上記支持者の認定（図１５：ＳＴ０８）及び住所データに基づいて、支持者の別に異なる住所画像データを生成する（図１５：ＳＴ３１）。
この住所画像データは、図１７に示すように、携帯登録支持者を大○印とし、既存支持者を大□印として生成される。
【０１０２】
支援制御手段（３１）は、地図画像データ、現在位置画像データ及び住所画像データに基づいて、図４に示す支援表示手段（５３）に地図画像、現在位置画像及び住所画像を表示する（図１５：ＳＴ３４）。
この支援制御手段（３１）は、図１７に示すように、地図画像上に現在位置画像（支持者の現在位置）及び住所画像（支持者の住所）を支援表示手段（５３）に表示する。
図１６において、●印は携帯登録の現在位置画像（携帯登録支持者の現在位置）、大○印は携帯登録の住所画像（携帯登録支持者の住所）を示しており、大○印中の●印は携帯登録支持者が自宅（住所）に滞在していることを示している。また、■印は既存登録の現在位置画像（既存支持者の現在位置）、大□印は既存登録の住所画像（既存支持者の住所）を示しており、大□印中の■印は既存支持者が自宅（住所）に滞在していることを示している。
【０１０３】
これにより、支援管理サーバー（７）の管理者は、支持者（携帯登録支持者、既存支持者）毎に、一日の時間帯（朝、昼、夜）別に現在位置画像（支持者の現在位置）を取得して検討することにより、支持者の一日の行動を把握でき、何時、街頭演説をするかを決定できる。
【０１０４】
支持者の閲覧手順
支持者が携帯電話（３）を使用して、支援管理サーバー（７）に記憶されている各種画像（図９〜図１１参照）にアクセスする手順を、図１、図２、図４及び図９〜図１１を参照して説明する。
【０１０５】
支援管理サーバー（７）の管理者は、図４に示すように、キーボード（５１）及びマウス（５２）を操作して、各種情報を支援管理サーバー（７）に入力する。
各種情報は、図１０に示すように、政治家の指針・理念（プロフィール含む）、イベント情報、受注情報、素材倉庫情報、地域ニュース、本日の予定情報等である。
【０１０６】
複数の支持者は、図１及び図２に示すように、携帯用入力手段（１４）のボタン群（１８）を操作して、支援管理サーバー（７）にアクセスする。このアクセスは、図１に示すように、インターネット（６）を通して支援管理サーバー（７）に通信接続される。
これにより、携帯電話（３）は、図９に示すように、支援管理サーバー（７）から支持者管理リスト画像を取得して携帯用表示手段（１２）に出力する。携帯用表示手段（１２）は、図９に示す支持者管理リスト画像を表示する。
【０１０７】
携帯電話（３）のボタン群（１８）を操作して、図９に示す支持者管理リスト画像の特定支持者の画像を指定すると、図１０に示すように、支持者個別画像を支援管理サーバー（７）から取得して携帯用表示手段（１２）に出力する。携帯用表示手段（１２）は、図１０に示す支持者個別画像を表示する。
更に、携帯電話（３）のボタン群（１８）を操作して、図１０に示す支持者個別画像の「マップ拡大」を指定すると、拡大された地図画像・現在位置画像（車両現在位置画像）を支援管理サーバー（７）から取得して携帯用表示手段（１２）に出力する。携帯用表示手段（１２）は、図１１に示す拡大地図画像・現在位置画像を表示する。
【０１０８】
これにより、支持者は、携帯電話（３）によって、図１０に示す支持者個別画像に開示されている各種情報データ、例えば地域ニュース、本日の予定を閲覧できる。この本日の予定とは、本日の政治家の公演会、街頭演説の地点（場所）を開示したものである。
従って、支持者は、本日の予定を閲覧することで、公演会や街頭演説の地点（場所）を知ることができ、これら地点（場所）に向かうことができる。
更に、支持者は、拡大地図画像・現在位置画像（車両現在位置画像）を閲覧することで、街頭演説の地点（場所）や街宣車両（５）が走行する経路に向かうことができる。
【０１０９】
図９に示す支持者管理リスト画像には、イベント管理、受発注管理、素材倉庫、システム問い合わせ等の画像が表示され、支持者は携帯電話（３）のボタン群（１８）の操作によって、各種管理を指定することで、その詳細のデータを閲覧できる。
また、図１０に示す支持者個別画像も同様で、支持者は携帯電話（３）のボタン群（１８）の操作によって、各種管理を指定することで、その詳細データを閲覧できる。
【０１１０】
なお、支持者は、携帯電話（３）を使用して、支援管理サーバー（７）の管理者（選挙事務所：特定政治家）に献金をすることも可能である。
献金は、図１に示すインターネット（６）に受付代行機関（サーバー）を通信接続し、携帯電話の操作により電話通信することで、電話料金に献金を上乗せした状態で受付代行機関が受付ける。
そして、受付代行機関は、決済機関に電話料金（献金）を含む情報を送信して、この決済機関によって献金を決済する。
【０１１１】
５．支持者、政治家の送信手順
支持者は、図２に示す携帯電話（３）を使用して、「現在位置、何をしているか」を、インターネット（６）を通じて、支援管理サーバー（７）にメール送信できる。
これにより、支援管理サーバー（７）の管理者は、支持者の予定を把握でき、この予定を考慮して街頭演説の地点、開始時間を決定できる。
【０１１２】
また、政治家は、携帯電話（３）を使用して、「現在位置、何をしているか」を、インターネット（６）を通じて、支持者の携帯電話（３）及び支援管理サーバー（７）にメール送信できる。
これにより、支持者は、政治家の行動を把握でき、この行動を考慮して、街頭演説の地点（場所）等に向かうことができる。
また、支援管理サーバー（７）の管理人は、政治家の行動を管理でき、街頭演説等の計画を行うことが可能となる。
【０１１３】
本発明に係る政治活動支援システムにおいて、支援管理サーバー（７）から各携帯電話（３）及び街宣車両（５）に要求する送信要求（送信要求信号）は、政治活動に必要な時に要求するものに限定されず、時間帯別（朝昼晩）、１時間毎、１０分毎等、複数回要求することができる。
これにより、支援管理サーバー（７）は、逐一、支持者の現在位置情報データ、及び街宣車両（５）の車両現在位置情報データを得ることができ、これに基づいて、支援表示手段（５３）に時間経過と共に地図画像上に支持者（携帯電話（３））の現在位置の変化を表示できる。
従って、支援管理サーバー（７）の管理者は、時間帯別（朝昼晩）、１時間毎、１０分毎に、政治活動を行う地域における支持者の密集、分散状態及び街宣車両（５）の現在位置を把握でき、これにより、街頭演説を行う地点、街宣車両（５）の走行経路を決定できる。
【０１１４】
また、本発明に係る政治活動支援システムに使用される携帯端末として、携帯電話（３）を使用する場合を説明したが、これに限定されず、携帯可能なコンピュータ端末であってＧＰＳ受信機を備えるものであっても良い。
【０１１５】
本発明に係る特定事項支援システムは、政治活動を支援するシステムに限定されず、宗教活動、商品の街頭販売、街頭での催し、演芸等の興行に適用しても良い。この場合においても、会員や人等が使用する携帯電話を使用して、会員等の密集、分散状態を表示手段（ディスプレイ）に表示する。これにより、人の密集する地点において、宗教活動、商品の販売、演芸興行の宣伝を行うことができ、効率が良い。
【産業上の利用可能性】
【０１１６】
本発明は、宗教活動、商品の街頭販売、街頭での催し、演芸興行に適用でき、特に街頭演説、公演会、街宣車両の街宣等の政治活動の支援において好適に利用されるものである。
【符号の説明】
【０１１７】
１  政治活動支援システム
２  ＧＰＳ衛星群
３  携帯電話（携帯端末）
５  街宣車両
６  ネットワーク（インターネット）
７  支援管理サーバー
３１  支援制御手段
５３  支援表示手段
【図１】
2011186947.tif 000003
【図２】
2011186947.tif 000004
【図３】
2011186947.tif 000005
【図４】
2011186947.tif 000006
【図５】
2011186947.tif 000007
【図６】
2011186947.tif 000008
【図７】
2011186947.tif 000009
【図８】
2011186947.tif 000010
【図９】
2011186947.tif 000011
【図１０】
2011186947.tif 000012
【図１１】
2011186947.tif 000013
【図１２】
2011186947.tif 000014
【図１３】
2011186947.tif 000015
【図１４】
2011186947.tif 000016
【図１５】
2011186947.tif 000017
【図１６】
2011186947.tif 000018
【図１７】
2011186947.tif 000019